(57)【要約】【課題】より簡単かつ正確に、所望の治療部位にパッドを貼り付けることを可能とすると共に、パッドの保管をより適切に行うことを可能とするパッドの貼り付け補助具を提供する。【解決手段】コードに接続された状態にあるパッドを治療部位に貼り付ける際に用いられるパッドの貼り付け補助具１０であって、パッドの端部を保持するクリップ３０と、クリップ３０にパッドの端部を保持させた状態で、かつ該パッドにおける治療部位に貼り付ける側である粘着面側を露出させた状態で、該パッドにおけるクリップ３０に保持された端部とは反対側の端部を保持する貫通孔２２と、クリップ３０にパッドの端部を保持させた状態で、該パッドの粘着面が貼り付けられることで該粘着面を保護する保護部２５と、を備えることを特徴とする。【選択図】図６
2008023115.tif 000002
【特許請求の範囲】
【請求項１】
コードに接続された状態にあるパッドを治療部位に貼り付ける際に用いられるパッドの貼り付け補助具であって、
貼り付け補助具本体と、
パッドの端部を保持する第１保持部と、
第１保持部にパッドの端部を保持させた状態で、かつ該パッドにおける治療部位に貼り付ける側である粘着面側を露出させた状態で、該パッドにおける第１保持部に保持された端部とは反対側の端部を保持する第２保持部と、
第１保持部にパッドの端部を保持させた状態で、該パッドの粘着面が貼り付けられることで該粘着面を保護する保護部と、
を備えることを特徴とするパッドの貼り付け補助具。
【請求項２】
貼り付け補助具本体には、第１保持部にパッドが保持された状態で該パッドとコードを接続可能な状態とするべく、前記貼り付け補助具本体の一方の面と他方の面とを連通する切欠または孔により構成される連通部が設けられていることを特徴とする請求項１に記載のパッドの貼り付け補助具。
【請求項３】
第２保持部は、パッドの端部が差し込まれることによって該端部を保持する貫通孔または切欠により構成されることを特徴とする請求項１または２に記載のパッドの貼り付け補助具。
【請求項４】
貼り付け補助具本体には、コードを巻き付けておくための凹部が設けられていることを特徴とする請求項１，２または３に記載のパッドの貼り付け補助具。
【請求項５】
第１保持部は、保持しているパッドに対して所定以上の引き抜き力が作用すると、該パッドが引き抜かれるように構成されたクリップにより構成されていることを特徴とする請求項１〜４のいずれか一つに記載のパッドの貼り付け補助具。
【請求項６】
治療部位に貼り付けられているパッドを引っ張ることによりパッドを治療部位から引き剥がすのに要する力よりも、前記クリップにより保持されているパッドを引き抜くのに要する力の方が弱いことを特徴とする請求項５に記載のパッドの貼り付け補助具。
【請求項７】
第１保持部は、貼り付け補助具本体に対して回動自在な回動部材により構成されており、第１保持部によりパッドを保持した状態で、第２保持部に対して前記反対側の端部を保持させる位置及び前記保護部に対して粘着面を貼り付ける位置に、該パッドを選択的に移動させることができることを特徴とする請求項１〜６のいずれか一つに記載のパッドの貼り付け補助具。
【請求項８】
貼り付け補助具本体の長手方向の一端部側に第２保持部が設けられ、他端部側にパッドを治療部位に貼り付ける際に治療者自身が手で握る把持部が設けられ、該把持部と第２保持部との間に前記保護部が設けられ、かつ、該保護部と第２保持部との間に第１保持部が設けられることを特徴とする請求項１〜７のいずれか一つに記載のパッドの貼り付け補助具。
【請求項９】
貼り付け補助具自体を治療者の胴体に挟み込むようにして装着できるように、貼り付け補助具本体はＵ字状に湾曲した部材により構成されると共に、
該貼り付け補助具本体の長手方向の一端部側に前記保護部が設けられ、他端部側にパッドを治療部位に貼り付ける際に治療者自身が手で握る把持部が設けられ、該把持部と前記保護部との間に第２保持部が設けられ、かつ、前記保護部と第２保持部との間に第１保持
部が設けられることを特徴とする請求項１〜７のいずれか一つに記載のパッドの貼り付け補助具。
【請求項１０】
貼り付け補助具本体は、
第２保持部が設けられた第１部材と、
前記保護部が設けられた第２部材と、
を備え、
第１保持部にパッドの端部を保持させた状態で、第２保持部に対して前記反対側の端部を保持させる位置及び前記保護部に対して粘着面を貼り付ける位置に、該パッドを選択的に移動させることができるように、第１部材と第２部材が互いに回動自在に軸支されていることを特徴とする請求項１〜７のいずれか一つに記載のパッドの貼り付け補助具。
【発明の詳細な説明】
【技術分野】
【０００１】
本発明は、パッドの貼り付け補助具に関するものである。
【背景技術】
【０００２】
従来、内部に電極を有するパッドを治療部位に貼り付けて低周波治療を行う低周波治療器が知られている。このような低周波治療器におけるパッドは、一般的に消耗部品であり、簡単に交換できるように、治療器本体に接続されたコードに対して着脱自在に構成される。そして、パッドにおけるコードと接続される側とは反対側の面は、治療部位に貼り付けることができるように、粘着性を有している。また、一般的に、使用前の新品のパッドは、粘着面に保護シートが貼り付けられている。この保護シートは、最初にパッドを使用する際に剥がして捨ててしまい、保護シートが剥がされたパッドは、専用のパッドホルダーに保管しておくのが一般的である。
【０００３】
上記のように構成される低周波治療器により低周波治療を行う場合、従来、パッドとコードとの接続部付近を手指で持ちながら、パッドの粘着面を所望の治療部位に貼り付けている。しかしながら、治療を受ける治療者自身がパッドを治療部位に貼り付ける場合、背中など手が届き難い位置を治療したい場合に、パッドを所望の位置にうまく貼り付けることができないことがある。また、パッドは、身体の様々な箇所に貼り付けることができるように、種々の形状に対応するべく、薄くかつ非常に柔軟性が高くなっているのが一般的である。そのため、手指でパッドを持っている状態では、パッドの形状は非常に不安定であり、特にお年寄りなど手先があまり器用でない人の場合には、所望の箇所に適切に貼り付けるのは難しい場合がある。また、服を着たまま襟の辺りからパッドを差し込んで、肩や背中にパッドを貼り付けるような場合には、パッドの形状が不安定であることから、パッドを肩や背中にもっていく際にパッドの粘着面が服に貼り付いてしまうことがある。そのため、パッドの粘着面が繊維によって汚れてしまうばかりでなく、服を汚してしまうこともある。更に、パッドが折れ曲がって粘着面同士が貼り付いてしまうこともある。
【０００４】
このように、治療を受ける治療者自身がパッドを治療部位に貼り付ける場合に、パッドを所望の位置に貼り付けるのが難しく、貼り付け作業が非常に煩わしいという問題がある。
【０００５】
また、専用のパッドホルダーにパッドを保管する場合には、パッドホルダーの所定の位置にパッドを貼り付けなければならないのが一般的である。しかし、手先が不器用な場合には、パッドを所定の位置にうまく貼り付けられないおそれもある。更に、パッドホルダーにパッドを貼り忘れてしまい、パッドの粘着力が早期に低下してしまうおそれもある。
【０００６】
なお、関連する技術としては、特許文献１〜４に開示されたものがある。
【特許文献１】実用新案登録番号第２５４１０２９号公報
【特許文献２】特開平１０−１９２４１６号公報
【特許文献３】特開２０００−３０８６２１号公報
【特許文献４】特開２００４−３３７８９号公報
【発明の開示】
【発明が解決しようとする課題】
【０００７】
本発明の目的は、より簡単かつ正確に、所望の治療部位にパッドを貼り付けることを可能とすると共に、パッドの保管をより適切に行うことを可能とするパッドの貼り付け補助具を提供することにある。
【課題を解決するための手段】
【０００８】
本発明は、上記課題を解決するために以下の手段を採用した。
【０００９】
すなわち、本発明のパッドの貼り付け補助具は、
コードに接続された状態にあるパッドを治療部位に貼り付ける際に用いられるパッドの貼り付け補助具であって、
貼り付け補助具本体と、
パッドの端部を保持する第１保持部と、
第１保持部にパッドの端部を保持させた状態で、かつ該パッドにおける治療部位に貼り付ける側である粘着面側を露出させた状態で、該パッドにおける第１保持部に保持された端部とは反対側の端部を保持する第２保持部と、
第１保持部にパッドの端部を保持させた状態で、該パッドの粘着面が貼り付けられることで該粘着面を保護する保護部と、
を備えることを特徴とする。
【００１０】
本発明によれば、第１保持部と第２保持部にそれぞれパッドを保持させると、パッドの粘着面側が露出されるので、貼り付け補助具を用いて、パッドを所望の治療部位に貼り付けることができる。従って、手の届きにくい位置にもパッドを適切に貼り付けることができる。また、パッドの柔軟性が高く、パッドの形状が不安定な場合であっても、本発明の貼り付け補助具を用いれば、パッドの両端部がそれぞれ第１保持部と第２保持部に保持されるので、パッドを貼り付ける際にパッドの形状を安定させることができる。これにより、パッドを所望の位置により適切に貼り付けることができる。これに伴い、パッドの粘着面が服に貼り付いてしまったり、パッドが折れ曲がって粘着面同士が貼り付いてしまったりすることを抑制できる。
【００１１】
また、本発明によれば、パッドの粘着面を保護する保護部を備えているので、貼り付け補助具がパッドを保管しておくためのパッドホルダーとしても機能する。そのため、別途専用のパッドホルダーが不要となる。また、治療時に用いる貼り付け補助具に、治療後にパッドを貼り付けて保管させることで、専用のパッドホルダーにパッドを貼り付けて保管する場合に比べて、治療後におけるパッドの貼り忘れを抑制することもできる。特に、貼り付け補助具にパッドを保持させたまま治療を行う場合には、治療後に、第１保持部にパッドの端部を保持させたまま、パッドの粘着面を保護部に貼り付ければよいので、パッドの貼り忘れをより確実に防止することができる。
【００１２】
また、貼り付け補助具本体には、第１保持部にパッドが保持された状態で該パッドとコードを接続可能な状態とするべく、前記貼り付け補助具本体の一方の面と他方の面とを連通する切欠または孔により構成される連通部が設けられているとよい。
【００１３】
これにより、コードやパッドとコートとの接続部が邪魔になることなく、パッドの貼り付け作業等を行うことができる。
【００１４】
また、第２保持部は、パッドの端部が差し込まれることによって該端部を保持する貫通孔または切欠により構成されるとよい。
【００１５】
これにより、パッドの端部を貫通孔または切欠に差し込むだけで、簡単にパッドの端部を保持させることができ、かつ、貫通孔または切欠からパッドの端部を引き抜くだけで簡単にパッドの端部を第２保持部から外すことができる。
【００１６】
また、貼り付け補助具本体には、コードを巻き付けておくための凹部が設けられている
とよい。
【００１７】
これにより、パッドとコードを一緒にして、貼り付け補助具に保管しておくことができる。また、凹部にコードを巻き付ければよいので、コードの巻き付け作業を簡単に行うことができる。また、保管時にコードを保護できることにもなる。
【００１８】
第１保持部は、保持しているパッドに対して所定以上の引き抜き力が作用すると、該パッドが引き抜かれるように構成されたクリップにより構成されているとよい。
【００１９】
このようにすれば、上記連通部が切欠により構成されている場合には、パッドを治療部位に貼り付けた後に、貼り付け補助具を移動させると、パッドとコードの接続部、あるいはコードは、切欠を介して貼り付け補助具から抜け、かつ、パッドはクリップから引き抜かれる。従って、コードに接続された状態にあるパッドを治療部位に貼り付けたまま、貼り付け補助具をパッドから外すことができる。
【００２０】
ここで、治療部位に貼り付けられているパッドを引っ張ることによりパッドを治療部位から引き剥がすのに要する力よりも、前記クリップにより保持されているパッドを引き抜くのに要する力の方が弱いようにすると好適である。
【００２１】
こうすることで、上記の通り、コードに接続された状態にあるパッドを治療部位に貼り付けたまま、貼り付け補助具をパッドから外すことができる。
【００２２】
第１保持部は、貼り付け補助具本体に対して回動自在な回動部材により構成されており、第１保持部によりパッドを保持した状態で、第２保持部に対して前記反対側の端部を保持させる位置及び前記保護部に対して粘着面を貼り付ける位置に、該パッドを選択的に移動させることができるとよい。
【００２３】
これにより、パッドを第１保持部に保持させたまま、簡単に、パッドを治療部位に貼り付けるために端部を第２保持部に保持させることができ、かつ、治療後にパッドの粘着面を保護部に貼り付けることができる。
【００２４】
また、貼り付け補助具本体の長手方向の一端部側に第２保持部が設けられ、他端部側にパッドを治療部位に貼り付ける際に治療者自身が手で握る把持部が設けられ、該把持部と第２保持部との間に前記保護部が設けられ、かつ、該保護部と第２保持部との間に第１保持部が設けられるとよい。
【００２５】
このようにすれば、治療部位にパッドを貼り付けるために、パッドが第１保持部と第２保持部に保持された状態においては、当該パッドは、少なくとも保護部の長さよりも把持部から離れた所に位置する。従って、手が届かないような部位にも、適切にパッドを貼り付けることができる。
【００２６】
また、貼り付け補助具自体を治療者の胴体に挟み込むようにして装着できるように、貼り付け補助具本体はＵ字状に湾曲した部材により構成されると共に、
該貼り付け補助具本体の長手方向の一端部側に前記保護部が設けられ、他端部側にパッドを治療部位に貼り付ける際に治療者自身が手で握る把持部が設けられ、該把持部と前記保護部との間に第２保持部が設けられ、かつ、前記保護部と第２保持部との間に第１保持部が設けられることも好適である。
【００２７】
このようにすれば、貼り付け補助具を胴体に装着できるため、治療中に貼り付け補助具から手を離しても、貼り付け補助具がずれたり落ちたりすることなく、安定的にパッドを
所望の治療部位に貼り付けておくことができる。また、貼り付け補助具によって、パッドが治療部位に押し付けられることから、パッドが治療中に剥がれてしまうことをより確実に防止できる。また、パッドの粘着力が経時劣化により低下してしまっていても使用することができるという利点もある。また、各部の位置関係を上記のように構成することで、パッドを治療部位から剥がすために、把持部を持ちながら貼り付け補助具を引っ張ると、パッドは治療部位から剥がされつつ保護部に向かっていく。これにより、自動的にパッドを保護部に貼り付けることが可能となる。ただし、これを実現するためには、パッドが第２保持部から簡単に外されることも必要になる。そのためには、例えば、上記の通り第２保持部を孔や切欠により構成すればよい。
【００２８】
また、貼り付け補助具本体は、
第２保持部が設けられた第１部材と、
前記保護部が設けられた第２部材と、
を備え、
第１保持部にパッドの端部を保持させた状態で、第２保持部に対して前記反対側の端部を保持させる位置及び前記保護部に対して粘着面を貼り付ける位置に、該パッドを選択的に移動させることができるように、第１部材と第２部材が互いに回動自在に軸支されていることも好適である。
【００２９】
これにより、パッドを第１保持部に保持させたまま、簡単に、パッドを治療部位に貼り付けるために端部を第２保持部に保持させることができ、かつ、治療後にパッドの粘着面を保護部に貼り付けることができる。
【００３０】
なお、上記各構成は、可能な限り組み合わせて採用し得る。
【発明の効果】
【００３１】
以上説明したように、本発明によれば、より簡単かつ正確に、所望の治療部位にパッドを貼り付けることができ、かつパッドの保管をより適切に行うことができる。
【発明を実施するための最良の形態】
【００３２】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００３３】
（実施例１）
図１〜図１７を参照して、本発明の実施例１に係るパッドの貼り付け補助具について説明する。なお、本発明の実施例に係るパッドの貼り付け補助具は、低周波治療器に適用されるものである。
【００３４】
＜低周波治療器＞
図１を参照して、本発明の実施例に係る低周波治療器について説明する。図１は本発明の実施例に係る低周波治療器の外観を示す斜視図である。
【００３５】
低周波治療器１００は、概略、治療器本体２００と、治療部位に貼り付けるための一対のパッド３００と、治療器本体２００とパッド３００とを電気的に接続するためのコード４００とから構成される。
【００３６】
治療器本体２００は、電源や各種の設定等を行うために設けられた複数のボタン２０１や、設定内容や治療時間を表示するための表示部２０２を備えている。治療器本体自体に
関しては、公知技術を含めた各種の技術を適用すればよいので、詳細説明は省略する。
【００３７】
パッド３００は、薄くかつ柔軟性の高い部材により構成されており、一方の面は、ゲル状の材料によって構成され、粘着性を有している。また、パッド３００には、その先端部の一部が突出した突出部３０１が設けられている。使用前の新品のパッド３００の粘着面には、当該粘着面を保護する不図示の保護シートが貼り付けられている。しかし、突出部３０１の部分にだけは粘着面が設けられておらず、この突出部３０１から保護シートを簡単に剥がすことができる。剥がした保護シートは捨ててしまっても構わない。
【００３８】
また、コード４００には、一端に治療器本体２００に接続するためのプラグ４０１が設けられており、他端にパッド３００に接続するための凹型スナップ４０２が設けられている。
【００３９】
＜パッドの貼り付け補助具＞
図２〜図６を参照して、本発明の実施例１に係る貼り付け補助具について説明する。図２は本発明の実施例１に係る貼り付け補助具の平面図である。図３は本発明の実施例１に係る貼り付け補助具の断面図である。なお、図３は図２のＡＡ断面図である。図４は本発明の実施例１に係る貼り付け補助具の底面図である。図５は本発明の実施例１に係る貼り付け補助具の上方側から見た斜視図である。図６は本発明の実施例１に係る貼り付け補助具の下方側から見た斜視図である。
【００４０】
本実施例に係る貼り付け補助具１０は、貼り付け補助具本体２０と、貼り付け補助具本体２０に対して回動自在に設けられたクリップ３０とを備えている。クリップ３０は、パッド３００の端部を挟み込むことによって、当該端部を保持する第１保持部として機能する。
【００４１】
貼り付け補助具本体２０には、クリップ３０にパッド３００の端部を保持させた状態で、パッド３００とコード４００を接続可能な状態とする孔２１が設けられている。クリップ３０は、この孔２１の中に入り込んだ状態で、貼り付け補助具本体２０に軸支されることで、貼り付け補助具本体２０に対して回動自在に構成されている。
【００４２】
貼り付け補助具本体２０における長手方向の一端部側には、幅方向に長い貫通孔２２が設けられている。この貫通孔２２は、パッド３００の突出部３０１が差し込まれることによって、この突出部３０１を保持する第２保持部として機能する。
【００４３】
また、貼り付け補助具本体２０における長手方向の他端部側には、パッド３００を治療部位に貼り付ける際に治療者自身が手で握る把持部２３が設けられている。この把持部２３は手で握り易いように、適度な太さに設計されている。また、この把持部２３の先端部分や把持部２３を補強する補強板には、コード４００を嵌め込むことによりコード４００を位置決めするための位置決め溝２４が設けられている。
【００４４】
貼り付け補助具本体２０における長手方向の中央付近には、パッド３００の粘着面が貼り付けられることで、当該粘着面を保護する保護部２５が設けられている。貼り付け補助具本体２０において、この保護部２５が設けられている部分の両側には、保管時にコード４００を巻き付けておくための凹部２６が設けられている。
【００４５】
各部の位置関係をまとめると次の通りである。すなわち、貼り付け補助具本体２０の長手方向の一端部側に第２保持部である貫通孔２２が設けられ、他端部側にパッド３００を治療部位に貼り付ける際に治療者自身が手で握る把持部２３が設けられている。そして、把持部２３と貫通孔２２との間に保護部２５が設けられ、かつ、保護部２５と貫通孔２２
との間に第１保持部であるクリップ３０が設けられる。
【００４６】
＜貼り付け補助具へのパッドとコードの取り付け構造＞
図７〜図１１を参照して、本発明の実施例１に係る貼り付け補助具１０へのパッド３００とコード４００の取付構造について説明する。図７は本発明の実施例１に係る貼り付け補助具において第１保持部及び第２保持部にパッドを保持させた状態を示す平面図である。図８は本発明の実施例１に係る貼り付け補助具において第１保持部及び第２保持部にパッドを保持させた状態を示す断面図である。なお、図８は図７のＡＡ断面図である。図９は本発明の実施例１に係る貼り付け補助具において第１保持部及び第２保持部にパッドを保持させた状態を示す底面図である。図１０は本発明の実施例１に係る貼り付け補助具において第１保持部及び第２保持部にパッドを保持させた状態を示す上方側から見た斜視図である。図１１は本発明の実施例１に係る貼り付け補助具において第１保持部及び第２保持部にパッドを保持させた状態を示す下方側から見た斜視図である。
【００４７】
本実施例においては、パッド３００における突出部３０１とは反対側の端部をクリップ３０により挟み込むことで保持させる。このとき、パッド３００における粘着面側とは反対側の面が、孔２１側を向くように、クリップ３０にパッド３００を保持させる。これにより、パッド３００に設けられている凸型スナップ３０２を、孔２１から露出させることができる。これにより、クリップ３０によりパッド３００を保持させた状態で、孔２１を介して、コード４００に設けられている凹型スナップ４０２をパッド３００の凸型スナップ３０２に接続することができる。なお、パッド３００が新品の場合には、上記の通り、粘着面に不図示の保護シートが貼り付けられているので、この保護シートは剥がしてから、クリップ３０にパッド３００を保持させる。
【００４８】
そして、クリップ３０にパッド３００の端部を保持させた状態で、パッド３００の突出部３０１を、貼り付け補助具本体２０に設けられた貫通孔２２に差し込む。これにより、貫通孔２２に突出部３０１が保持される。
【００４９】
このようにパッド３００の両端部をクリップ３０と貫通孔２２によりそれぞれ保持させることによって、パッド３００は、その粘着面側が略全面的に露出された状態で、貼り付け補助具１０に保持される。
【００５０】
＜治療部位へのパッドの貼り付け方法及び治療方法＞
特に、図１２及び図１３を参照して、本実施例に係る貼り付け補助具１０を用いて、治療部位にパッド３００を貼り付ける方法及び治療方法を説明する。図１２は本発明の実施例１に係る貼り付け補助具を用いて治療部位にパッドを貼り付ける際の様子を示す概略図である。図１３は治療中の様子を示す概略図である。
【００５１】
上記の通り、パッド３００の両端部をクリップ３０と貫通孔２２にそれぞれ保持させた状態で、貼り付け補助具１０の把持部２３を手で持って、パッド３００の粘着面を所望の治療部位（例えば、図１２に示すように肩）に押し当てる。本実施例に係る貼り付け補助具１０は、パッド３００による粘着力によって、把持部２３から手を離しても、貼り付け補助具１０ごと治療部位に貼り付けることができる。なお、これを実現するためには、貼り付け補助具１０の重量によって、パッド３００が治療部位から剥がれ落ちてしまわないように、貼り付け補助具１０を十分に軽量化する必要がある。本実施例では、貼り付け補助具本体２０を樹脂等の素材により構成すると共に、肉厚を薄くすることによって、貼り付け補助具１０を軽量化している。
【００５２】
図１３に示すように、例えば両肩にパッド３００を貼り付けた後に、治療器本体２００を操作することによって、低周波治療を行うことができる。ここで、コード４００は、上
記の通り、孔２１を通って、パッド３００の粘着面とは反対側に伸びている。このコード４００を貼り付け補助具本体２０に設けられた位置決め溝２４に嵌め込んでおくことで、コード４００は位置決めされる。従って、パッド３００を治療部位に貼り付ける作業時や低周波治療時においてコード４００が邪魔になることを抑制できる。
【００５３】
＜パッドの保管＞
特に、図１４〜図１７を参照して、本発明の実施例１に係るパッド３００の保管方法について説明する。図１４は本発明の実施例１に係るパッドの貼り付け補助具の保護部にパッドを貼り付ける様子を示す側面図である。図１５は本発明の実施例１に係るパッドの貼り付け補助具にパッドを保管する様子を示す底面図である。図１６は本発明の実施例１に係るパッドの貼り付け補助具にパッドを保管する様子を示す上方側から見た斜視図である。図１７は本発明の実施例１に係るパッドの貼り付け補助具にパッドを保管する様子を示す下方側から見た斜視図である。
【００５４】
低周波治療を終えたら、パッド３００の突出部３０１を、貼り付け補助具本体２０の貫通孔２２から引き抜き、図１４に示すように、パッド３００の端部をクリップ３０に保持させたままの状態で貼り付け補助具本体２０に対し、矢印の方向に保護部２５に向けて回転させる。そして、パッド３００の粘着面を保護部２５に貼り付ける。なお、孔２１が設けられていることから、パッド３００にコード４００を接続させたまま、この一連の動作を行うことができる。
【００５５】
保護部２５にパッド３００を貼り付けた後に、貼り付け補助具１０とパッド３００を重ねるように、かつ一対の凹部２６の部分を通るように、コード４００を巻き付ける。これにより、パッド３００の粘着面を保護部２５に保護させた状態で、パッド３００とコード４００を貼り付け補助具１０と共に保管することができる。また、凹み部２６にコード４００を巻き付けるので保管時にコード４００を損傷する恐れがなく保護できることにもなる。
【００５６】
なお、次に低周波治療を行う場合には、コード４００を元に戻してから、パッド３００を保護部２５から剥がして、図１４に示す矢印とは反対方向にパッド３００を回転させて、パッド３００の突出部３０１を貫通孔２２に差し込めばよいことは言うまでもない。
【００５７】
＜本実施例の優れた点＞
本実施例に係る貼り付け補助具１０を用いることによって、パッド３００とコード４００を接続させた状態で、パッド３００を所望の治療部位に貼り付けることができる。従って、手の届きにくい位置にもパッド３００を適切に貼り付けることができる。また、パッド３００の柔軟性が高く、パッド３００の形状が不安定な場合であっても、パッド３００の両端部は、クリップ３０と貫通孔２２に保持されるため、パッド３００を貼り付ける際には、パッド３００の形状を安定させることができる。これにより、パッド３００を所望の位置により適切に貼り付けることができる。これに伴い、パッド３００の粘着面が服に貼り付いてしまったり、パッド３００が折れ曲がって粘着面同士が貼り付いてしまったりすることを抑制できる。
【００５８】
また、本実施例の貼り付け補助具本体２０には、パッド３００の粘着面を保護する保護部２５を備えているので、貼り付け補助具１０がパッド３００を保管しておくためのパッドホルダーとしても機能する。そのため、別途専用のパッドホルダーが不要となる。また、治療時に用いる貼り付け補助具１０に、治療後にパッド３００を貼り付けて保管させることで、専用のパッドホルダーにパッド３００を貼り付けて保管する場合に比べて、治療後におけるパッド３００の貼り忘れを抑制することもできる。特に、本実施例では、貼り付け補助具１０にパッド３００を保持させたまま治療を行い、治療後に、クリップ３０に
パッド３００の端部を保持させたまま、パッド３００の粘着面を保護部２５に貼り付ければよいので、パッド３００の貼り忘れをより確実に防止することができる。
【００５９】
また、本実施例では、貼り付け補助具本体２０に孔２１が設けられているので、貼り付け作業中や治療中において、コード４００やパッド３００とコード４００との接続部が邪魔になることを抑制できる。
【００６０】
また、本実施例では、パッド３００の突出部３０１を貫通孔２２に差し込むだけで、簡単にこの突出部３０１を貫通孔２２に保持させることができ、かつ、貫通孔２２から突出部３０１を引き抜くだけで、簡単に貫通孔２２から突出部３０１を外すことができる。
【００６１】
また、本実施例では、クリップ３０が貼り付け補助具本体２０に対して回動自在に構成されている。そのため、クリップ３０にパッド３００の端部を保持させた状態で、パッド３００の突出部３０１を持ちながらパッド３００を回転させることで、簡単にパッド３００を、その突出部３０１を貫通孔２２に差し込む位置に移動させたり、パッド３００の粘着面を保護部２５に貼り付けたりすることができる。
【００６２】
また、本実施例では、パッド３００を治療部位に貼り付ける場合に、把持部２３から離れた位置でパッド３００が保持されるので、手が届かないような部位にも、適切にパッド３００を貼り付けることができる。
【００６３】
（実施例２）
図１８〜図２３には、本発明の実施例２が示されている。上記実施例１では、貼り付け補助具本体の一方の面と他方の面とを連通する連通部を孔により構成する場合を示したが、本実施例では、連通部を切欠により構成する場合を示す。その他の基本的な構成および作用については実施例１と同一なので、同一の構成部分については同一の符号を付して、適宜、その説明は省略する。また、貼り付け補助具本体の構成のみが実施例１と異なり、治療器本体，コード，パッド及びクリップについては、実施例１の場合と同一であるので、これらの説明は適宜省略する。
【００６４】
＜パッドの貼り付け補助具＞
図１８及び図１９を参照して、本発明の実施例２に係るパッドの貼り付け補助具について説明する。図１８は本発明の実施例２に係るパッドの貼り付け補助具の上方側から見た斜視図である。図１９は本発明の実施例２に係るパッドの貼り付け補助具の下方側から見た斜視図である。
【００６５】
本実施例に係る貼り付け補助具１０ａにおいても、実施例１と同様に、貼り付け補助具本体２０ａと、貼り付け補助具本体２０ａに対して回動自在に設けられた第１保持部として機能するクリップ３０とを備えている。また、貼り付け補助具本体２０ａには、実施例１と同様に、把持部２３，位置決め溝２４，保護部２５及び凹部２６が設けられている。
【００６６】
上記実施例１では、クリップ３０にパッド３００の端部を保持させた状態で、パッド３００とコード４００を接続可能とするための連通部として、孔２１を設けているのに対して、本実施例２では、当該連通部を切欠２１ａにより構成している。なお、パッド３００は、貼り付け補助具本体２０ａにおいて、切欠２１ａから離れた位置に設けられた孔に入り込んだ状態で、貼り付け補助具本体２０ａに軸支されている。
【００６７】
また、上記実施例１では、パッド３００の突出部３０１を保持するための第２保持部を貫通孔２２により構成しているのに対して、本実施例２では、この第２保持部を切欠２１ａの幅方向の両側にそれぞれ設けた切欠２２ａにより構成している。
【００６８】
これらの切欠２１ａ及び切欠２２ａ以外の構成については、実施例１と同様であるので、その説明は省略する。
【００６９】
＜貼り付け補助具へのパッドとコードの取り付け構造＞
図２０を参照して、本発明の実施例２に係る貼り付け補助具１０ａへのパッド３００とコード４００の取付構造について説明する。図２０は本発明の実施例２に係る貼り付け補助具において第１保持部及び第２保持部にパッドを保持させた状態を示す上方から見た斜視図である。
【００７０】
本実施例においても、上記実施例１の場合と同様に、パッド３００における突出部３０１とは反対側の端部をクリップ３０により挟み込むことで保持させる。このとき、パッド３００における粘着面側とは反対側の面が、切欠２１ａ側を向くように、クリップ３０にパッド３００を保持させる。これにより、パッド３００に設けられている凸型スナップ３０２を、切欠２１ａから露出させることができる。これにより、実施例１の場合と同様に、クリップ３０によりパッド３００を保持させた状態で、切欠２１ａを介して、コード４００に設けられている凹型スナップ４０２をパッド３００の凸型スナップ３０２に接続することができる。
【００７１】
そして、クリップ３０にパッド３００の端部を保持させた状態で、パッド３００の突出部３０１を、貼り付け補助具本体２０ａに設けられた切欠２２ａに差し込む。これにより、切欠２２ａに突出部３０１が保持される。
【００７２】
このように、本実施例においても、パッド３００の両端部をクリップ３０と切欠２２ａによりそれぞれ保持させることによって、パッド３００は、その粘着面側が略全面的に露出された状態で、貼り付け補助具１０ａに保持される。
【００７３】
＜治療部位へのパッドの貼り付け方法及び治療方法＞
特に、図２１及び図２２を参照して、本実施例に係る貼り付け補助具１０ａを用いて、治療部位にパッド３００を貼り付ける方法及び治療方法を説明する。図２１は本発明の実施例２に係る貼り付け補助具を用いて治療部位にパッドを貼り付ける際の様子を示す概略図である。図２２は治療中の様子を示す概略図である。
【００７４】
上記の通り、パッド３００の両端部をクリップ３０と切欠２２ａにそれぞれ保持させた状態で、貼り付け補助具１０ａの把持部２３を手で持って、パッド３００の粘着面を所望の治療部位（例えば、図２１に示すように肩）に押し当てる。
【００７５】
そして、本実施例の場合には、パッド３００を所望の治療部位に貼り付けた後に、貼り付け補助具１０ａを、身体に沿わせるように、図２１に示した矢印方向に移動させる。これにより、パッド３００を治療部位に貼り付けたまま、貼り付け補助具１０ａをパッド３００から外すことができる。すなわち、本実施例では、切欠２１ａを介して、コード４００に設けられている凹型スナップ４０２とパッド３００の凸型スナップ３０２が接続されている。そのため、パッド３００を治療部位に貼り付けた後に、貼り付け補助具１０ａを図２１に示すように移動させると、パッド３００とコード４００との接続部分は切欠２１ａに沿って移動する。従って、パッド３００を治療部位に貼り付けたまま、貼り付け補助具１０ａをパッド３００から外すことができる。
【００７６】
ただし、パッド３００の端部はクリップ３０に挟み込まれることにより保持されているため、この挟み込む力が大き過ぎると、貼り付け補助具１０ａを移動させた際に、パッド３００がクリップ３０に引っ張られて、治療部位から剥がれてしまう。そのため、本実施
例では、クリップ３０によるパッド３００を挟み込む力は、クリップ３０からパッド３００を引き抜くように力が作用した場合には、治療部位に貼り付けられたパッド３００を剥がさないように、クリップ３０からパッド３００が引き抜かれる程度に設定する必要がある。つまり、治療部位に貼り付けられているパッド３００を引っ張ることによりパッド３００を治療部位から引き剥がすのに要する力よりも、クリップ３０により保持しているパッド３００を引き抜くのに要する力の方が弱くなるように、クリップ３０の挟み込み力を設定している。なお、パッド３００の突出部３０１は、切欠２２ａから簡単に引き抜かれるので、何ら支障はない。
【００７７】
このように、本実施例の場合には、貼り付け補助具１０ａは、パッド３００を治療部位に貼り付ける時にのみ用いられ、図２２に示すように、パッド３００のみを所望の治療部位に貼り付けることができる。
【００７８】
そして、図２２に示すように、例えば両肩にパッド３００を貼り付けた後に、治療器本体２００を操作することによって、低周波治療を行うことができる。
【００７９】
＜パッドの保管＞
特に、図２３を参照して、本発明の実施例２に係るパッド３００の保管方法について説明する。図２３は本発明の実施例２に係るパッドの貼り付け補助具にパッドを保管する様子を示す下方側から見た斜視図である。
【００８０】
低周波治療を終えたら、パッド３００の突出部３０１を、貼り付け補助具本体２０ａの切欠２２ａから引き抜き、上記実施例１の場合と同様に、パッド３００を保護部２５に向けて回転させて、パッド３００の粘着面を保護部２５に貼り付ける。
【００８１】
そして、保護部２５にパッド３００を貼り付けた後に、貼り付け補助具１０ａとパッド３００を重ねるように、かつ一対の凹部２６の部分を通るように、コード４００を巻き付ける。これにより、上記実施例１の場合と同様に、パッド３００の粘着面を保護部２５に保護させた状態で、パッド３００とコード４００を貼り付け補助具１０ａと共に保管することができる。
【００８２】
＜本実施例の優れた点＞
以上のように、本実施例においても、上記実施例１と同様の効果を得ることができる。また、本実施例では、治療中に貼り付け補助具１０ａをパッド３００から外すことができるという利点がある。
【００８３】
（実施例３）
図２４〜図３４には、本発明の実施例３が示されている。貼り付け補助具の構成のみが、上記実施例１，２と異なっており、治療器本体，コード及びパッドについては、上記実施例１，２の場合と同一であるので、その説明は適宜省略する。
【００８４】
＜パッドの貼り付け補助具＞
図２４〜図２７を参照して、本発明の実施例３に係るパッドの貼り付け補助具について説明する。図２４は本発明の実施例３に係るパッドの貼り付け補助具の上方側から見た斜視図である。図２５は本発明の実施例３に係るパッドの貼り付け補助具の下方側から見た斜視図である。図２６は本発明の実施例３に係るパッドの貼り付け補助具の背面図である。図２７は本発明の実施例３に係るパッドの貼り付け補助具の断面図である。なお、図２７は図２６のＡＡ断面図である。
【００８５】
本実施例に係る貼り付け補助具４０においても、実施例１と同様に、貼り付け補助具本
体５０と、貼り付け補助具本体５０に対して回動自在に設けられたクリップ６０とを備えている。また、本実施例に係る貼り付け補助具本体５０は、貼り付け補助具４０自体を治療者の胴体に挟み込むようにして装着できるように、図２７に示すようにＵ字状に大きく湾曲した形状となっている。また、クリップ６０は、上記各実施例の場合と同様に、パッド３００の端部を挟み込むことによって、当該端部を保持する第１保持部として機能する。
【００８６】
そして、貼り付け補助具本体５０には、クリップ６０にパッド３００の端部を保持させた状態で、パッド３００とコード４００を接続可能な状態とする孔５１が設けられている。クリップ６０は、この孔５１の中に入り込んだ状態で、貼り付け補助具本体５０に軸支されることで、貼り付け補助具本体５０に対して回動自在に構成されている。
【００８７】
貼り付け補助具本体５０における湾曲部分には、幅方向に長い貫通孔５２が設けられている。この貫通孔５２は、パッド３００の突出部３０１が差し込まれることによって、この突出部３０１を保持する第２保持部として機能する。
【００８８】
また、貼り付け補助具本体５０の一端部側には、パッド３００の粘着面が貼り付けられることで、当該粘着面を保護する保護部５５が設けられている。そして、貼り付け補助具本体５０の他端部側に、パッド３００を治療部位に貼り付ける際に治療者自身が手で握る把持部５３が設けられている。この把持部５３は手で握り易いように、適度な太さに設計されている。また、この把持部２３の先端部分には、コード４００を嵌め込むことによりコード４００を位置決めするための位置決め溝５４が設けられている。そして、貼り付け補助具本体５０の中央付近には、保管時にコード４００を巻き付けておくための凹部５６が設けられている。
【００８９】
各部の位置関係等をまとめると次の通りである。すなわち、本実施例では、貼り付け補助具４０自体を治療者の胴体に挟み込むようにして装着できるように、貼り付け補助具本体５０はＵ字状に湾曲した部材により構成される。そして、貼り付け補助具本体５０の長手方向の一端部側に保護部５５が設けられ、他端部側にパッド３００を治療部位に貼り付ける際に治療者自身が手で握る把持部５３が設けられる。そして、把持部５３と保護部５５との間に第２保持部である貫通孔５２が設けられ、かつ、保護部５５と貫通孔５２との間に第１保持部であるクリップ６０が設けられる。
【００９０】
＜貼り付け補助具へのパッドとコードの取り付け構造＞
図２８及び図２９を参照して、本発明の実施例３に係る貼り付け補助具４０へのパッド３００とコード４００の取付構造について説明する。図２８は本発明の実施例３に係る貼り付け補助具において第１保持部及び第２保持部にパッドを保持させた状態を示す上方側から見た斜視図である。図２９は本発明の実施例３に係る貼り付け補助具において第１保持部及び第２保持部にパッドを保持させた状態を示す下方側から見た斜視図である。
【００９１】
本実施例においても、上記各実施例と同様に、パッド３００における突出部３０１とは反対側の端部をクリップ６０により挟み込むことで保持させる。このとき、パッド３００における粘着面側とは反対側の面が、孔５１側を向くように、クリップ６０にパッド３００を保持させる。これにより、パッド３００に設けられている凸型スナップ３０２を、孔５１から露出させることができる。これにより、クリップ６０によりパッド３００を保持させた状態で、孔５１を介して、コード４００に設けられている凹型スナップ４０２をパッド３００の凸型スナップ３０２に接続することができる。なお、パッド３００が新品の場合には、上記の通り、粘着面に不図示の保護シートが貼り付けられているので、この保護シートは剥がしてから、クリップ６０にパッド３００を保持させる。
【００９２】
そして、クリップ６０にパッド３００の端部を保持させた状態で、パッド３００の突出部３０１を、貼り付け補助具本体５０に設けられた貫通孔５２に差し込む。これにより、貫通孔５２に突出部３０１が保持される。
【００９３】
このようにパッド３００の両端部をクリップ６０と貫通孔５２によりそれぞれ保持させることによって、パッド３００は、その粘着面側が略全面的に露出された状態で、貼り付け補助具４０に保持される。
【００９４】
＜治療部位へのパッドの貼り付け方法及び治療方法＞
特に、図３０〜図３２を参照して、本実施例に係る貼り付け補助具４０を用いて、治療部位にパッド３００を貼り付ける方法及び治療方法を説明する。図３０は本発明の実施例に係る貼り付け補助具を用いて治療部位にパッドを貼り付ける際の様子を示す概略図である。図３１は治療中の様子を示す概略図である。図３２は治療後にパッドを取り外す様子を示す概略図である。
【００９５】
上記の通り、パッド３００の両端部をクリップ６０と貫通孔５２にそれぞれ保持させた状態で、貼り付け補助具４０の把持部５３を手で持って、パッド３００を所望の治療部位（ここでは、図３０に示すように肩）に近付ける。そして、パッド３００の粘着面を肩に押し当てる。これにより、パッド３００の粘着面が肩に貼り付き、パッド３００の突出部３０１は貫通孔５２から抜け出る（図３１参照）。そして、手を離すと、貼り付け補助具４０自体が肩を挟み込むようにして治療者の身体に装着される。このように、肩に貼り付け補助具４０を装着させた状態で、治療器本体２００を操作することによって、低周波治療を行うことができる。特に図示はしないが、肩に限らず腰の当たりなど、治療部位に応じて、様々な部分に貼り付け補助具を装着することも可能である。ここで、コード４００は、上記の通り、孔５１を通って、パッド３００の粘着面とは反対側に伸びている。このコード４００を貼り付け補助具本体５０に設けられた位置決め溝５４に嵌め込んでおくことで、コード４００は位置決めされる。従って、パッド３００を治療部位に貼り付ける作業時や低周波治療時においてコード４００が邪魔になることを抑制できる。
【００９６】
治療後は、把持部５３を手で持って、図３２に示すように、貼り付け補助具４０を持ち上げるようにして肩から外す。これによりパッド３００の粘着面は、クリップ６０に近い側から徐々に剥がれていく。そして、パッド３００の粘着面は、治療部位から剥がされつつ、保護部５５に向かっていく。これにより、パッド３００の粘着面は自動的に保護部５５に貼り付けられる。
【００９７】
＜パッドの保管＞
特に、図３３及び図３４を参照して、本発明の実施例３に係るパッド３００の保管方法について説明する。図３３は本発明の実施例３に係るパッドの貼り付け補助具にパッドを保管する様子を示す斜視図である。図３４は本発明の実施例３に係るパッドの貼り付け補助具にパッドを保管する様子を示す正面図である。
【００９８】
低周波治療を終えたら、パッド３００が保護部５５に確実に貼り付けられているか否かを確認する。もし、十分に貼り付けられていないようであれば、パッド３００を保護部５５に確実に貼り付ける。
【００９９】
そして、一対の凹部５６の部分を通るように、貼り付け補助具本体５０にコード４００を巻き付ける。これにより、パッド３００の粘着面を保護部５５に保護させた状態で、パッド３００とコード４００を貼り付け補助具４０と共に保管することができる。
【０１００】
なお、次に低周波治療を行う場合には、コード４００を元に戻してから、パッド３００
を保護部５５から剥がし、パッド３００を回転させて、パッド３００の突出部３０１を貫通孔５２に差し込めばよいことは言うまでもない。
【０１０１】
＜本実施例の優れた点＞
以上のように、本実施例においても、上記実施例１と同様の効果を得ることができる。また、本実施例では、貼り付け補助具４０を身体から取り外す過程で、パッド３００を治療部位から剥がすと同時に、自動的にパッド３００を保護部５５に貼り付けることができる。また、本実施例の場合には、貼り付け補助具４０によって、パッド３００が治療部位に押し付けられることから、パッド３００が治療中に剥がれてしまうことをより確実に防止できる。また、パッド３００の粘着力が経時劣化により低下してしまっていても使用することができるという利点もある。
【０１０２】
（実施例４）
図３５〜図４９には、本発明の実施例４が示されている。貼り付け補助具の構成のみが、上記実施例１，２と異なっており、治療器本体，コード及びパッドについては、上記各実施例の場合と同一であるので、その説明は適宜省略する。
【０１０３】
＜パッドの貼り付け補助具＞
図３５〜図３９を参照して、本発明の実施例４に係る貼り付け補助具について説明する。図３５は本発明の実施例４に係る貼り付け補助具の平面図である。図３６は本発明の実施例４に係る貼り付け補助具の断面図である。なお、図３６は図３５のＡＡ断面図である。図３７は本発明の実施例４に係る貼り付け補助具の底面図である。図３８は本発明の実施例４に係る貼り付け補助具の上方側から見た斜視図である。図３９は本発明の実施例４に係る貼り付け補助具の下方側から見た斜視図である。
【０１０４】
本実施例に係る貼り付け補助具７０においては、貼り付け補助具本体が、互いに回動自在に軸支された第１部材８０Ａと第２部材８０Ｂとから構成されている。また、貼り付け補助具７０には、貼り付け補助具本体である第１部材８０Ａと第２部材８０Ｂの回動軸を中心に回動自在に設けられたクリップ９０が備えられている。このクリップ９０は、パッド３００の端部を挟み込むことによって、当該端部を保持する第１保持部として機能する。
【０１０５】
第１部材８０Ａには、クリップ９０にパッド３００の端部を保持させた状態で、パッド３００とコード４００を接続可能な状態とする孔８１が設けられている。また、第１部材８０Ａにおける軸支されている側とは反対側には、幅方向に長い貫通孔８２が設けられている。この貫通孔８２は、パッド３００の突出部３０１が差し込まれることによって、この突出部３０１を保持する第２保持部として機能する。
【０１０６】
また、第２部材８０Ｂには、パッド３００を治療部位に貼り付ける際に治療者自身が手で握る把持部として機能すると共に、保管時にコード４００を巻き付けておくための凹部８３が設けられている。この凹部８３は手で握り易いように、適度な太さに設計されている。更に、第２部材８０Ｂには、パッド３００の粘着面が貼り付けられることで、当該粘着面を保護する保護部８５が設けられている。
【０１０７】
各部の位置関係等をまとめると次の通りである。すなわち、本実施例では、貼り付け補助具本体は、第２保持部である貫通孔８２が設けられた第１部材８０Ａと、保護部８５が設けられた第２部材８０Ｂと、を備えている。そして、第１保持部であるクリップ９０にパッド３００の端部を保持させた状態で、貫通孔８２に対してパッド８０のクリップ９０に保持された側とは反対側の端部を保持させる位置及び保護部８５に対して粘着面を貼り付ける位置に、パッド３００を選択的に移動させることができるように、第１部材８０Ａ
と第２部材８０Ｂが互いに回動自在に軸支されている。
【０１０８】
＜貼り付け補助具へのパッドとコードの取り付け構造＞
図４０〜図４３を参照して、本発明の実施例４に係る貼り付け補助具７０へのパッド３００とコード４００の取付構造について説明する。図４０は本発明の実施例４に係る貼り付け補助具において第１保持部及び第２保持部にパッドを保持させた状態を示す平面図である。図４１は本発明の実施例４に係る貼り付け補助具において第１保持部及び第２保持部にパッドを保持させた状態を示す断面図である。なお、図４１は図４０のＡＡ断面図である。図４２は本発明の実施例４に係る貼り付け補助具において第１保持部及び第２保持部にパッドを保持させた状態を示す上方側から見た斜視図である。図４３は本発明の実施例４に係る貼り付け補助具において第１保持部及び第２保持部にパッドを保持させた状態を示す下方側から見た斜視図である。
【０１０９】
本実施例においても、実施例１の場合と同様に、パッド３００における突出部３０１とは反対側の端部をクリップ９０により挟み込むことで保持させる。このとき、パッド３００における粘着面側とは反対側の面が、孔８１側を向くように、クリップ９０にパッド３００を保持させる。これにより、パッド３００に設けられている凸型スナップ３０２を、孔８１から露出させることができる。これにより、クリップ９０によりパッド３００を保持させた状態で、孔８１を介して、コード４００に設けられている凹型スナップ４０２をパッド３００の凸型スナップ３０２に接続することができる。なお、パッド３００が新品の場合には、上記の通り、粘着面に不図示の保護シートが貼り付けられているので、この保護シートは剥がしてから、クリップ９０にパッド３００を保持させる。
【０１１０】
そして、クリップ９０にパッド３００の端部を保持させた状態で、パッド３００の突出部３０１を、第１部材８０Ａに設けられた貫通孔８２に差し込む。これにより、貫通孔８２に突出部３０１が保持される。
【０１１１】
このようにパッド３００の両端部をクリップ９０と貫通孔８２によりそれぞれ保持させることによって、パッド３００は、その粘着面側が略全面的に露出された状態で、貼り付け補助具７０に保持される。
【０１１２】
＜治療部位へのパッドの貼り付け方法及び治療方法＞
特に、図４４及び図４５を参照して、本実施例に係る貼り付け補助具７０を用いて、治療部位にパッド３００を貼り付ける方法及び治療方法を説明する。図４４は本発明の実施例４に係る貼り付け補助具を用いて治療部位にパッドを貼り付ける際の様子を示す概略図である。図４５は治療中の様子を示す概略図である。
【０１１３】
上記の通り、パッド３００の両端部をクリップ９０と貫通孔８２にそれぞれ保持させた状態で、貼り付け補助具７０における第２部材８０Ｂの部分を手で持って、パッド３００の粘着面を所望の治療部位（例えば、図４４に示すように肩）に押し当てる。本実施例に係る貼り付け補助具７０は、パッド３００による粘着力によって、第２部材８０Ｂから手を離しても、貼り付け補助具７０ごと治療部位に貼り付けることができる。なお、これを実現するために、貼り付け補助具７０を十分に軽量化する必要があることは実施例１の場合と同様である。
【０１１４】
図４５に示すように、例えば両肩にパッド３００を貼り付けた後に、治療器本体２００を操作することによって、低周波治療を行うことができる。
【０１１５】
＜パッドの保管＞
特に、図４６〜図４９を参照して、本発明の実施例４に係るパッド３００の保管方法に
ついて説明する。図４６は本発明の実施例４に係るパッドの貼り付け補助具の保護部にパッドを貼り付ける様子を示す側面図である。図４７は本発明の実施例４に係るパッドの貼り付け補助具にパッドを保管する様子を示す上方側から見た斜視図である。図４８は本発明の実施例４に係るパッドの貼り付け補助具にパッドを保管する様子を示す下方側から見た斜視図である。図４９は本発明の実施例４に係るパッドの貼り付け補助具にパッドを保管する様子を示す断面図である。
【０１１６】
低周波治療を終えたら、パッド３００の突出部３０１を、第１部材８０Ａの貫通孔８２から引き抜き、図４６に示すように、第１部材８０Ａと第２部材８０Ｂを折り畳むように回転させる。これにより、パッド３００の粘着面が第２部材８０Ｂの保護部８５に貼り付けられる。なお、本実施例の場合には、突出部３０１を貫通孔８２から引き抜かなくても構わない。また、本実施例においては、孔８１が設けられていることから、パッド３００にコード４００を接続させたまま、この一連の動作を行うことができる。
【０１１７】
第１部材８０Ａと第２部材８０Ｂを折り畳んだ後に、一対の凹部８３の部分を通るように、コード４００を巻き付ける。これにより、パッド３００の粘着面を保護部８５に保護させた状態で、パッド３００とコード４００を貼り付け補助具７０と共に保管することができる。
【０１１８】
なお、次に低周波治療を行う場合には、コード４００を元に戻してから、第１部材８０Ａと第２部材８０Ｂとを開くように回転させて、パッド３００を保護部８５から剥がして、パッド３００の突出部３０１を貫通孔８２に差し込めばよいことは言うまでもない。
【０１１９】
＜本実施例の優れた点＞
以上のように、本実施例においても、上記実施例１と同様の効果を得ることができる。また、本実施例では、貼り付け補助具本体が互いに回動自在に構成された第１部材８０Ａと第２部材８０Ｂとから構成されている。そして、保管の際には、これらを折り畳むことができるので、コンパクトな状態で保管することができる。
【０１２０】
（実施例５）
図５０〜図５５には、本発明の実施例５が示されている。本実施例は、上記実施例４の改良した例である。すなわち、上記実施例４では、貼り付け補助具本体（第１部材）の一方の面と他方の面とを連通する連通部を孔により構成する場合を示したが、本実施例では、連通部を切欠により構成する場合を示す。その他の基本的な構成および作用については実施例４と同一なので、同一の構成部分については同一の符号を付して、適宜、その説明は省略する。
【０１２１】
＜パッドの貼り付け補助具＞
図５０及び図５１を参照して、本発明の実施例５に係るパッドの貼り付け補助具について説明する。図５０は本発明の実施例５に係るパッドの貼り付け補助具の上方側から見た斜視図である。図５１は本発明の実施例５に係るパッドの貼り付け補助具の下方側から見た斜視図である。
【０１２２】
本実施例に係る貼り付け補助具７０ａにおいても、実施例４と同様に、貼り付け補助具本体が、互いに回動自在に軸支された第１部材８０Ｃと第２部材８０Ｂとから構成されている。また、実施例４の場合と同様に、第１部材８０Ｃと第２部材８０Ｂの回転軸を中心に回動自在に設けられたクリップ９０も備えられている。第２部材８０Ｂ及びクリップ９０に関しては、上記実施例４と同一の構成であるので、その説明は適宜省略する。
【０１２３】
上記実施例４では、クリップ９０にパッド３００の端部を保持させた状態で、パッド３
００とコード４００を接続可能とするための連通部として、孔８１を設けているのに対して、本実施例５では、当該連通部を切欠８１ａにより構成している。
【０１２４】
また、上記実施例４では、パッド３００の突出部３０１を保持するための第２保持部を貫通孔８２により構成しているのに対して、本実施例５では、この第２保持部を切欠８１ａの幅方向の両側にそれぞれ設けた切欠８２ａにより構成している。
【０１２５】
これらの切欠８１ａ及び切欠８２ａ以外の構成については、実施例４と同様であるので、その説明は省略する。
【０１２６】
＜貼り付け補助具へのパッドとコードの取り付け構造＞
図５２を参照して、本発明の実施例５に係る貼り付け補助具７０ａへのパッド３００とコード４００の取付構造について説明する。図５２は本発明の実施例５に係る貼り付け補助具において第１保持部及び第２保持部にパッドを保持させた状態を示す下方から見た斜視図である。
【０１２７】
本実施例においても、上記実施例４の場合と同様に、パッド３００における突出部３０１とは反対側の端部をクリップ９０により挟み込むことで保持させる。このとき、パッド３００における粘着面側とは反対側の面が、切欠８１ａ側を向くように、クリップ９０にパッド３００を保持させる。これにより、パッド３００に設けられている凸型スナップ３０２を、切欠８１ａから露出させることができる。これにより、実施例４の場合と同様に、クリップ９０によりパッド３００を保持させた状態で、切欠８１ａを介して、コード４００に設けられている凹型スナップ４０２をパッド３００の凸型スナップ３０２に接続することができる。
【０１２８】
そして、クリップ９０にパッド３００の端部を保持させた状態で、パッド３００の突出部３０１を、第１部材８０Ｃに設けられた切欠８２ａに差し込む。これにより、切欠８２ａに突出部３０１が保持される。
【０１２９】
このように、本実施例においても、パッド３００の両端部をクリップ９０と切欠８２ａによりそれぞれ保持させることによって、パッド３００は、その粘着面側が略全面的に露出された状態で、貼り付け補助具７０ａに保持される。
【０１３０】
＜治療部位へのパッドの貼り付け方法及び治療方法＞
特に、図５３及び図５４を参照して、本実施例に係る貼り付け補助具７０ａを用いて、治療部位にパッド３００を貼り付ける方法及び治療方法を説明する。図５３は本発明の実施例５に係る貼り付け補助具を用いて治療部位にパッドを貼り付ける際の様子を示す概略図である。図５４は治療中の様子を示す概略図である。
【０１３１】
上記の通り、パッド３００の両端部をクリップ９０と切欠８２ａにそれぞれ保持させた状態で、貼り付け補助具７０ａにおける第２部材８０Ｂの部分を手で持って、パッド３００の粘着面を所望の治療部位（例えば、図５３に示すように肩）に押し当てる。
【０１３２】
そして、本実施例の場合には、パッド３００を所望の治療部位に貼り付けた後に、貼り付け補助具７０ａを、身体に沿わせるように、図５３に示した矢印方向に移動させる。これにより、パッド３００を治療部位に貼り付けたまま、貼り付け補助具７０ａをパッド３００から外すことができる。
【０１３３】
パッド３００を治療部位に貼り付けたまま、貼り付け補助具７０ａをパッド３００から外すことができる理由や、クリップ９０による挟み込む力に関しては、上記実施例２で説
明した通りであるので、その説明は省略する。
【０１３４】
このように、本実施例の場合にも、上記実施例２の場合と同様に、貼り付け補助具７０ａは、パッド３００を治療部位に貼り付ける時にのみ用いられ、図５４に示すように、パッド３００のみを所望の治療部位に貼り付けることができる。
【０１３５】
そして、図５４に示すように、例えば両肩にパッド３００を貼り付けた後に、治療器本体２００を操作することによって、低周波治療を行うことができる。
【０１３６】
＜パッドの保管＞
特に、図５５を参照して、本発明の実施例５に係るパッド３００の保管方法について説明する。図５５は本発明の実施例５に係るパッドの貼り付け補助具にパッドを保管する様子を示す上方側から見た斜視図である。
【０１３７】
低周波治療を終えたら、パッド３００の突出部３０１を、第１部材８０Ｃの切欠８２ａから引き抜き、上記実施例４の場合と同様に、第１部材８０Ｃと第２部材８０Ｂを折り畳み、パッド３００の粘着面を保護部８５に貼り付ける。
【０１３８】
そして、一対の凹部８３の部分を通るように、コード４００を巻き付ける。これにより、上記実施例４の場合と同様に、パッド３００の粘着面を保護部８５に保護させた状態で、パッド３００とコード４００を貼り付け補助具７０ａと共に保管することができる。
【０１３９】
＜本実施例の優れた点＞
以上のように、本実施例においても、上記実施例４と同様の効果を得ることができる。また、本実施例では、治療中に貼り付け補助具７０ａをパッド３００から外すことができるという利点がある。
【図面の簡単な説明】
【０１４０】
【図１】図１は本発明の実施例に係る低周波治療器の外観を示す斜視図である。
【図２】図２は本発明の実施例１に係る貼り付け補助具の平面図である。
【図３】図３は本発明の実施例１に係る貼り付け補助具の断面図である。
【図４】図４は本発明の実施例１に係る貼り付け補助具の底面図である。
【図５】図５は本発明の実施例１に係る貼り付け補助具の上方側から見た斜視図である。
【図６】図６は本発明の実施例１に係る貼り付け補助具の下方側から見た斜視図である。
【図７】図７は本発明の実施例１に係る貼り付け補助具において第１保持部及び第２保持部にパッドを保持させた状態を示す平面図である。
【図８】図８は本発明の実施例１に係る貼り付け補助具において第１保持部及び第２保持部にパッドを保持させた状態を示す断面図である。
【図９】図９は本発明の実施例１に係る貼り付け補助具において第１保持部及び第２保持部にパッドを保持させた状態を示す底面図である。
【図１０】図１０は本発明の実施例１に係る貼り付け補助具において第１保持部及び第２保持部にパッドを保持させた状態を示す上方側から見た斜視図である。
【図１１】図１１は本発明の実施例１に係る貼り付け補助具において第１保持部及び第２保持部にパッドを保持させた状態を示す下方側から見た斜視図である。
【図１２】図１２は本発明の実施例１に係る貼り付け補助具を用いて治療部位にパッドを貼り付ける際の様子を示す概略図である。
【図１３】図１３は治療中の様子を示す概略図である。
【図１４】図１４は本発明の実施例１に係るパッドの貼り付け補助具の保護部にパッドを貼り付ける様子を示す側面図である。
【図１５】図１５は本発明の実施例１に係るパッドの貼り付け補助具にパッドを保管する様子を示す底面図である。
【図１６】図１６は本発明の実施例１に係るパッドの貼り付け補助具にパッドを保管する様子を示す上方側から見た斜視図である。
【図１７】図１７は本発明の実施例１に係るパッドの貼り付け補助具にパッドを保管する様子を示す下方側から見た斜視図である。
【図１８】図１８は本発明の実施例２に係るパッドの貼り付け補助具の上方側から見た斜視図である。
【図１９】図１９は本発明の実施例２に係るパッドの貼り付け補助具の下方側から見た斜視図である。
【図２０】図２０は本発明の実施例２に係る貼り付け補助具において第１保持部及び第２保持部にパッドを保持させた状態を示す上方から見た斜視図である。
【図２１】図２１は本発明の実施例２に係る貼り付け補助具を用いて治療部位にパッドを貼り付ける際の様子を示す概略図である。
【図２２】図２２は治療中の様子を示す概略図である。
【図２３】図２３は本発明の実施例２に係るパッドの貼り付け補助具にパッドを保管する様子を示す下方側から見た斜視図である。
【図２４】図２４は本発明の実施例３に係るパッドの貼り付け補助具の上方側から見た斜視図である。
【図２５】図２５は本発明の実施例３に係るパッドの貼り付け補助具の下方側から見た斜視図である。
【図２６】図２６は本発明の実施例３に係るパッドの貼り付け補助具の背面図である。
【図２７】図２７は本発明の実施例３に係るパッドの貼り付け補助具の断面図である。
【図２８】図２８は本発明の実施例３に係る貼り付け補助具において第１保持部及び第２保持部にパッドを保持させた状態を示す上方側から見た斜視図である。
【図２９】図２９は本発明の実施例３に係る貼り付け補助具において第１保持部及び第２保持部にパッドを保持させた状態を示す下方側から見た斜視図である。
【図３０】図３０は本発明の実施例に係る貼り付け補助具を用いて治療部位にパッドを貼り付ける際の様子を示す概略図である。
【図３１】図３１は治療中の様子を示す概略図である。
【図３２】図３２は治療後にパッドを取り外す様子を示す概略図である。
【図３３】図３３は本発明の実施例３に係るパッドの貼り付け補助具にパッドを保管する様子を示す斜視図である。
【図３４】図３４は本発明の実施例３に係るパッドの貼り付け補助具にパッドを保管する様子を示す正面図である。
【図３５】図３５は本発明の実施例４に係る貼り付け補助具の平面図である。
【図３６】図３６は本発明の実施例４に係る貼り付け補助具の断面図である。
【図３７】図３７は本発明の実施例４に係る貼り付け補助具の底面図である。
【図３８】図３８は本発明の実施例４に係る貼り付け補助具の上方側から見た斜視図である。
【図３９】図３９は本発明の実施例４に係る貼り付け補助具の下方側から見た斜視図である。
【図４０】図４０は本発明の実施例４に係る貼り付け補助具において第１保持部及び第２保持部にパッドを保持させた状態を示す平面図である。
【図４１】図４１は本発明の実施例４に係る貼り付け補助具において第１保持部及び第２保持部にパッドを保持させた状態を示す断面図である。
【図４２】図４２は本発明の実施例４に係る貼り付け補助具において第１保持部及び第２保持部にパッドを保持させた状態を示す上方側から見た斜視図である。
【図４３】図４３は本発明の実施例４に係る貼り付け補助具において第１保持部及び第２保持部にパッドを保持させた状態を示す下方側から見た斜視図である。
【図４４】図４４は本発明の実施例４に係る貼り付け補助具を用いて治療部位にパッドを貼り付ける際の様子を示す概略図である。
【図４５】図４５は治療中の様子を示す概略図である。
【図４６】図４６は本発明の実施例４に係るパッドの貼り付け補助具の保護部にパッドを貼り付ける様子を示す側面図である。
【図４７】図４７は本発明の実施例４に係るパッドの貼り付け補助具にパッドを保管する様子を示す上方側から見た斜視図である。
【図４８】図４８は本発明の実施例４に係るパッドの貼り付け補助具にパッドを保管する様子を示す下方側から見た斜視図である。
【図４９】図４９は本発明の実施例４に係るパッドの貼り付け補助具にパッドを保管する様子を示す断面図である。
【図５０】図５０は本発明の実施例５に係るパッドの貼り付け補助具の上方側から見た斜視図である。
【図５１】図５１は本発明の実施例５に係るパッドの貼り付け補助具の下方側から見た斜視図である。
【図５２】図５２は本発明の実施例５に係る貼り付け補助具において第１保持部及び第２保持部にパッドを保持させた状態を示す下方から見た斜視図である。
【図５３】図５３は本発明の実施例５に係る貼り付け補助具を用いて治療部位にパッドを貼り付ける際の様子を示す概略図である。
【図５４】図５４は治療中の様子を示す概略図である。
【図５５】図５５は本発明の実施例５に係るパッドの貼り付け補助具にパッドを保管する様子を示す上方側から見た斜視図である。
【符号の説明】
【０１４１】
１０，１０ａ，４０，７０，７０ａ  貼り付け補助具
２０，２０ａ，５０  貼り付け補助具本体
２１，５１，８１  孔
２１ａ，８１ａ  切欠
２２，５２，８２  貫通孔
２２ａ，８２ａ  切欠
２３，５３  把持部
２４，５４  位置決め溝
２５，５５，８５  保護部
２６，５６，８３  凹部
３０，６０，９０  クリップ
８０Ａ，８０Ｃ  第１部材
８０Ｂ  第２部材
１００  低周波治療器
２００  治療器本体
２０１  ボタン
２０２  表示部
３００  パッド
３０１  突出部
３０２  凸型スナップ
４００  コード
４０１  プラグ
４０２  凹型スナップ
【図１】
2008023115.tif 000003
【図２】
2008023115.tif 000004
【図３】
2008023115.tif 000005
【図４】
2008023115.tif 000006
【図５】
2008023115.tif 000007
【図６】
2008023115.tif 000008
【図７】
2008023115.tif 000009
【図８】
2008023115.tif 000010
【図９】
2008023115.tif 000011
【図１０】
2008023115.tif 000012
【図１１】
2008023115.tif 000013
【図１２】
2008023115.tif 000014
【図１３】
2008023115.tif 000015
【図１４】
2008023115.tif 000016
【図１５】
2008023115.tif 000017
【図１６】
2008023115.tif 000018
【図１７】
2008023115.tif 000019
【図１８】
2008023115.tif 000020
【図１９】
2008023115.tif 000021
【図２０】
2008023115.tif 000022
【図２１】
2008023115.tif 000023
【図２２】
2008023115.tif 000024
【図２３】
2008023115.tif 000025
【図２４】
2008023115.tif 000026
【図２５】
2008023115.tif 000027
【図２６】
2008023115.tif 000028
【図２７】
2008023115.tif 000029
【図２８】
2008023115.tif 000030
【図２９】
2008023115.tif 000031
【図３０】
2008023115.tif 000032
【図３１】
2008023115.tif 000033
【図３２】
2008023115.tif 000034
【図３３】
2008023115.tif 000035
【図３４】
2008023115.tif 000036
【図３５】
2008023115.tif 000037
【図３６】
2008023115.tif 000038
【図３７】
2008023115.tif 000039
【図３８】
2008023115.tif 000040
【図３９】
2008023115.tif 000041
【図４０】
2008023115.tif 000042
【図４１】
2008023115.tif 000043
【図４２】
2008023115.tif 000044
【図４３】
2008023115.tif 000045
【図４４】
2008023115.tif 000046
【図４５】
2008023115.tif 000047
【図４６】
2008023115.tif 000048
【図４７】
2008023115.tif 000049
【図４８】
2008023115.tif 000050
【図４９】
2008023115.tif 000051
【図５０】
2008023115.tif 000052
【図５１】
2008023115.tif 000053
【図５２】
2008023115.tif 000054
【図５３】
2008023115.tif 000055
【図５４】
2008023115.tif 000056
【図５５】
2008023115.tif 000057